(57)【要約】【課題】セミナーやイベント、講義などの出席者を対象に行う名前確認、受験生などの本人確認、オフィスなどにおける社員の在席状況の把握などが容易かつ確実に行える着座管理システムを提供する。【解決手段】受講者が着席時にＩＣカード５やＩＣ付き携帯端末６を机上のＩＣカードリーダライタ４の上に置くか、もしくはかざして受講者のＩＤ、あるいは個人情報を読み取る（ステップ１０１）。次に、ＩＣカードリーダライタ４が読み取った受講者のＩＤ、あるいは個人情報に自身の座席番号を付加してサーバ２へ送信する（ステップ１０２）。次に、サーバ２が受信した受講者のＩＤをキーにしてデータベース７から受講者の個人情報を読み取る（ステップ１０３）。次に、読み取った受講者の個人情報とＩＣカードリーダライタ４の座席番号を関連付けて座席表を作成する（ステップ１０４）。次に、作成した座席表を講師のＰＣ端末３へダウンロードする（ステップ１０５）。次に、ＰＣ端末３が受信した座席表を画面に表示する（ステップ１０６）。【選択図】図６
2007087172.tif 000002
【特許請求の範囲】
【請求項１】
ネットワークを介して管理者の情報処理装置と各座席に設置した情報取得端末を接続し、
この情報取得端末が非接触で出席者の携帯するＩＣ情報媒体からＩＤ情報を読み取り、
このＩＤ情報に前記情報取得端末を設置した座席の位置情報を付加して前記情報処理装置に送信し、
前記情報処理装置が受信したＩＤ情報をキーにしてデータベースから出席者の個人情報をアクセスし、
この個人情報とＩＤ情報に付加された座席の位置情報を関連付けて前記情報処理装置の画面に表示することを特徴とする着座管理システム。
【請求項２】
ネットワークを介して管理者の情報処理装置と各座席に設置した情報取得端末を接続し、
この情報取得端末が非接触で出席者の携帯するＩＣ情報媒体から個人情報を読み取り、
この個人情報に前記情報取得端末を設置した座席の位置情報を付加して前記情報処理装置に送信し、
前記情報処理装置が受信した個人情報とＩＤ情報に付加された座席の位置情報を関連付けて前記情報処理装置の画面に表示することを特徴とする着座管理システム。
【請求項３】
前記情報取得端末には前記情報処理装置への送信データを入力する入力手段または／および前記情報処理装置からの受信データを表示する表示手段が備えられていることを特徴とする請求項１、２記載の着座管理システム。
【請求項４】
前記情報取得端末には少なくともデータ入力、画像表示、電源供給のいずれかを行うための他の機器との接続が可能なインタフェースが備えられていることを特徴とする請求項１、２記載の着座管理システム。
【請求項５】
前記情報取得端末には非接触で前記ＩＣ情報媒体を制御する制御手段が備えられていることを特徴とする請求項１、２記載の着座管理システム。
【請求項６】
前記ＩＣ情報媒体はＩＣカードまたはＩＣ付き携帯電話のいずれかで、前記情報取得端末はそのリーダ／ライタであることを特徴とする請求項１、２記載の着座管理システム。
【請求項７】
前記情報処理装置はサーバまたは／およびパソコンであることを特徴とする請求項１、２記載の着座管理システム。
【請求項８】
前記情報処理装置の画面には座席番号とそこに着座する出席者の個人情報の一覧が表示されることを特徴とする請求項１、２記載の着座管理システム。
【請求項９】
前記情報処理装置の画面には物理的な座席の配置図の上にそこに着座する出席者の個人情報が表示されることを特徴とする請求項１、２記載の着座管理システム。
【請求項１０】
前記情報処理装置の画面には座席番号とそこにそこに着座する出席者の顔写真が表示されることを特徴とする請求項１、２記載の着座管理システム。
【請求項１１】
前記個人情報は出席者の成績、過去の出欠状況を含み、前記情報処理装置の画面には少なくとも成績順または出席日数順のいずれかの個人情報の一覧が表示されることを特徴とする請求項１、２記載の着座管理システム。
【請求項１２】
前記情報処理装置の画面には少なくとも質問、アンケート、テストのいずれかに対する出席者の回答結果が表示されることを特徴とする請求項１、２記載の着座管理システム。
【発明の詳細な説明】
【技術分野】
【０００１】
本発明は、物理的な座席位置と出席者の個人情報を関連付けて情報処理装置の画面に表示する着座管理システムに関する。
【背景技術】
【０００２】
不特定多数の人が集まるセミナーやイベント会場において、例えば講師の方から呼びかけて出席者と話がしたい場合、出席者の名前や所属が分かると便利であるが、離れた場所にいる出席者の名札を見て名前や所属を確認するのは困難である。
また、出席者の名簿を見てどこにいるのか知りたい場合、顔を知らないと名札を見ながら大勢の中から探し出すのは非常に困難である。
【０００３】
この他にも、大学などの講義において、講師が出席者の名前を知らないと講義が親密にならず、出席した学生が出席しない学生の分も返事する「代返」を防ぐことも困難になる。
また、試験場などでは、替え玉受験を防ぐため受験票に貼られた写真を見ながら受験生一人一人の本人確認を行うのも大変な作業となる。
また、オフィスなどでは、人事異動、組織変更、席替えなどが頻繁に行われ、その都度社内電話帳・座席図などを修正しなければならないという問題もある。
また、社員の在席状況をリアルタイムに把握し、出退勤もより細かく管理したいという要望も多い。
【発明の開示】
【発明が解決しようとする課題】
【０００４】
解決しようとする問題点は以上のような点であり、本発明は、セミナーやイベント、講義などの出席者を対象に行う名前確認、受験生などの本人確認、オフィスなどにおける社員の在席状況の把握などが容易かつ確実に行える着座管理システムを提供することを目的になされたものである。
【課題を解決するための手段】
【０００５】
そのため本発明は、ネットワークを介して管理者の情報処理装置と各座席に設置した情報取得端末を接続し、この情報取得端末が非接触で出席者の携帯するＩＣ情報媒体からＩＤ情報を読み取り、このＩＤ情報に前記情報取得端末を設置した座席の位置情報を付加して前記情報処理装置に送信し、前記情報処理装置が受信したＩＤ情報をキーにしてデータベースから出席者の個人情報をアクセスし、この個人情報とＩＤ情報に付加された座席の位置情報を関連付けて前記情報処理装置の画面に表示することを最も主要な特徴とする。
【発明の効果】
【０００６】
本発明は、出席者の個人情報と座席の位置情報を関連付けて情報処理装置の画面に表示するので、出席者の名前確認、受験生の本人確認、社員の在席状況の把握などが画面を見て容易に行えるようになり、講師と受講者のコミュニケーションもスムーズに行えるようになる。また、出席者のＩＣ情報媒体を机の上に置くか、かざすだけで簡単に自分の座席位置を講師に知らせることができる。
【発明を実施するための最良の形態】
【０００７】
以下、本発明の実施の形態について説明する。
【０００８】
図１と図２に、本発明を実施した着座管理システムの構成図と、着座管理の一例として学校や塾などの教室における座席の配置図を示す。
着座管理システムは、有線ＬＡＮや無線ＬＡＮなどのネットワーク１に情報処理装置としての管理用のサーバ２と講師用のＰＣ端末３を接続し、有線ＬＡＮの場合はハブまたはルータ、無線ＬＡＮの場合はアクセスポイントを介して情報取得端末としてのＩＣカードリーダライタ４を接続する。
ＩＣカードリーダライタ４は各座席の机上に設置し、着席時に受講者のＩＣ情報媒体としてのＩＣカード５やFeliCa搭載携帯電話などのＩＣ付き携帯端末６から固有のＩＤを読み取る。ＩＤは製造工程でＲＯＭに書き込むことから書き換えができず、高い真正性が保証されている。また、各ＩＣカードリーダライタ４には教室内における物理的な座席位置を表す座席番号が付与されている。
【０００９】
サーバ２はデータベース７を備え、データベース７にはＩＤに対応する受講者の氏名、番号、学年、学部、科目別・分野別の成績、過去の出欠状況、顔写真などの個人情報が記録されている。
これらの個人情報は受講者のＩＣカード５やＩＣ付き携帯端末６に直接記録される場合もある。科目別・分野別の成績は、過去のテストにおいて不正解であった問題や正解率などを含み、その結果に基づいてサーバ２やＰＣ端末３において個人別に間違いの多い科目や分野を特定し、その情報を元に弱点を克服する問題集を自動的に作成することも可能である。
【００１０】
以上により、受講者のＩＤを読み取ったＩＣカードリーダライタ４の座席番号と、そのＩＤに対応する受講者の個人情報が対応付けられてサーバ２またはＰＣ端末３上で座席表が作成される。
この座席表が講師の机上に置かれたＰＣ端末３の画面に表示され、それを通して講師が出席者の名前などを確認できるようになっている。
【００１１】
ＩＣカードリーダライタ４には、図３に示すように、表示手段としてのＬＥＤなどの表示ランプ４１や、入力手段としての選択用の入力ボタン４２などを配置した操作パネルが備えられている。
入力ボタン４２は、講師の質問やアンケート、簡単なテストなどの回答を入力するときに使用される。
表示ランプ４１は、回答の正解・不正解を表示するときなどに使用される。
これにより、講師と受講者の間でオンラインによる双方向のコミュニケーションを可能にしている。質問やアンケート、テストなどの回答結果はデータベース７、あるいは受講者のＩＣカード５やＩＣ付き携帯端末６などに逐次保存することができる。
【００１２】
質問やアンケート、テストなどの回答結果は過去の分を含め、図４の表や図５のグラフに編集してＰＣ端末３などの画面に表示することができる。
これらの表やグラフは、受講者にも見られるようにプロジェクタやＰＤＰなどの大画面に表示してもよい。
【００１３】
ＩＣカードリーダライタ４は、他の機器との接続が可能となるインタフェースを有する場合もある。このインタフェースにテンキーやキーボードを接続してデータを入力したり、ディスプレイを接続して画像を表示することもできる。また、ＵＳＢ携帯充電ケーブルやＵＳＢ扇風機、ＵＳＢライトなどを接続することもできる。
【００１４】
また、ＩＣ付き携帯端末６をＩＣカードリーダライタ４の上に置くと同時に３者間通信により携帯アプリケーションを起動し、通話・メールなどの着信拒否、サイレントモードへの切替などを行うこともできる。これよりＩＣカードリーダライタ４側から非接触で受講者のＩＣ付き携帯端末６を制御することができる。
【００１５】
図６に、本発明を実施した着座管理システムのフローチャートを示す。
まず、受講者が着席時にＩＣカード５やＩＣ付き携帯端末６を机上のＩＣカードリーダライタ４の上に置くか、もしくはかざして受講者のＩＤ、あるいは個人情報を読み取る（ステップ１０１）。
次に、ＩＣカードリーダライタ４が読み取った受講者のＩＤ、あるいは個人情報に自身の座席番号を付加してサーバ２へ送信する（ステップ１０２）。
次に、サーバ２が受信した受講者のＩＤをキーにしてデータベース７から受講者の個人情報を読み取る（ステップ１０３）。なお、ＩＣカードリーダライタ４がＩＣカード５やＩＣ付き携帯端末６から受講者の個人情報を読み取り、それをサーバ２へ送信する場合はステップ１０３の処理は不要である。
次に、読み取った受講者の個人情報とＩＣカードリーダライタ４の座席番号を関連付けて座席表を作成する（ステップ１０４）。
次に、作成した座席表を講師のＰＣ端末３へダウンロードする（ステップ１０５）。
次に、ＰＣ端末３が受信した座席表を画面に表示する（ステップ１０６）。
【００１６】
座席表は、座席番号とそこに着座した受講者の氏名などを一覧表にして表示する。
あるいは、図７に示すように、それらを物理的な座席の配置図の上に表示してもよい。
また、図８に示すように、受講者の氏名などの個人情報を成績順や出席日数順にソートして表示してもよい。
また、座席表の座席番号や氏名をクリックすると、図９に示すように、そこに着座した受講者の顔写真などの詳細プロフィールがウィンドウ表示されるようにしてもよい。
これにより、試験を実施するときの替え玉受験を防止できる。
詳細プロフィールは、前後ボタンをクリックして座席番号の正順または逆順に表示することもできる。あるいは、座席番号を直接指定して表示することもできる。これにより、そこに着座した受講者の名前と詳細プロフィールをダイレクトに参照できる。
【００１７】
また、名前などをキーにして出席者の座席番号を検索できるようにしてもよい。これにより、大勢の出席者の中から目的の出席者を容易に探し出すことができるようになる。
このときＰＣ端末３からネットワーク１を介して表示信号を送信し、ＩＣカードリーダライタ４を起動して表示ランプ４１を点灯させてもよい。
これにより、詳細プロフィールを表示した出席者の座席を素早く見つけ出すことができるようになる。
【００１８】
オフィスなどでは、ＰＣ端末３の代わりにＰＤＰなどの表示装置を壁に取り付けて社員の在席状況をリアルタイムに表示してもよい。このとき同時に着席時刻や退席時刻を記録しておくと出退勤の管理データとしても使用できる。
【図面の簡単な説明】
【００１９】
【図１】本発明を実施した着座管理システムの構成図である。
【図２】教室における座席の配置図である。
【図３】ＩＣカードリーダライタの操作パネルの配置図である。
【図４】質問やアンケートの回答結果を示す表の例である。
【図５】質問やアンケートの回答結果を示すグラフの例である。
【図６】本発明を実施した着座管理システムのフローチャートである。
【図７】座席の配置図に表示した座席表の例である。
【図８】成績順や出席日数順にソートした座席表の例である。
【図９】詳細プロフィールを表示した画面の例である。
【符号の説明】
【００２０】
１        ネットワーク
２        サーバ
３        ＰＣ端末
４        ＩＣカードリーダライタ
４１      表示ランプ
４２      入力ボタン
５        ＩＣカード
６        ＩＣ付き携帯端末
７        データベース
【図１】
2007087172.tif 000003
【図２】
2007087172.tif 000004
【図３】
2007087172.tif 000005
【図４】
2007087172.tif 000006
【図５】
2007087172.tif 000007
【図６】
2007087172.tif 000008
【図７】
2007087172.tif 000009
【図８】
2007087172.tif 000010
【図９】
2007087172.tif 000011